(57)【要約】【課題】簡単な構成で情報を出力可能に処理する再生装置を提供する。【解決手段】ＤＶＤ−Ｖｉｄｅｏから読み取った情報を変換したデジタルストリームデータから、内蔵ＣＰＵ３４２で音声データ、画像データおよびサブピクチャデータに分離し、それぞれ音声バッファ３４４Ａ、映像バッファ３４４Ｂ、サブピクチャバッファ３４４Ｃに順次記憶する。早送り再生処理の際、通常再生処理で実施する自動ＡＶ同期処理およびサブピクチャデータのデコード処理を停止し、映像デコーダ３４５Ｂで画像データを順次デコード処理し、Ｂピクチャはスキップして出力する。音声デコーダ３４５Ａで通常再生処理と同様に音声データをデコード処理して出力させ、音声データが処理しきれず音声バッファ３４４Ａのバッファ量が所定量以上となった際、少なくとも一部を削除する。【選択図】　図３
2004112176.tif 000002
【特許請求の範囲】
【請求項１】
記録媒体に記録された情報を出力可能に処理する情報処理装置であって、
前記記録媒体から読み取られた前記情報を一時的に記憶するとともにこの記憶する順番で前記情報を順次出力する記憶手段と、
この記憶手段に記憶された前記情報を出力可能に順次処理する処理手段と、
この処理手段で前記記憶手段に記憶された情報を出力可能に順次処理させる制御をするとともに、前記記憶手段に記憶された情報量が所定量以上となると記憶されている前記情報のうちの少なくとも一部を出力させることなく削除して前記情報を記憶可能な領域を増大させる制御をして前記情報を高速処理させる制御手段と、
を具備したことを特徴とした情報処理装置。
【請求項２】
請求項１に記載の情報処理装置において、
情報処理の切替要求を認識する情報切替認識手段を具備し、
前記制御手段は、前記情報切替手段にて前記切替要求を認識することにより、高速処理と、前記記録媒体から読み取られて前記記憶手段に順次記憶される情報を処理手段で順次出力可能に処理させる制御をする通常処理と、を切り替えて処理する
ことを特徴とした情報処理装置。
【請求項３】
記録媒体に記録され関連付けられた対をなす情報をそれぞれ出力可能に処理する情報処理装置であって、
前記記録媒体から読み取られた前記情報をそれぞれ一次的に記憶しつつこれら記憶する順番で前記情報を順次出力する一対の記憶手段と、
これら記憶手段に記憶された前記各情報をそれぞれ出力可能に順次処理する一対の処理手段と、
前記一方の処理手段で前記情報を一部間引いて一連の新たな情報として出力可能に処理させる制御をするとともに、前記他方の処理手段で前記記憶手段に記憶された情報を出力可能に順次処理しつつ前記他方の処理手段にて処理される情報を記憶する前記記憶手段に記憶された情報量が所定量以上となると記憶されている情報のうちの少なくとも一部を出力させることなく削除して前記情報を記憶可能な領域を増大させる制御をして前記対をなす情報を高速処理させる制御手段と、
を具備したことを特徴とした情報処理装置。
【請求項４】
請求項３に記載の情報処理装置において、
情報処理の切替要求を認識する情報切替認識手段を具備し、
前記制御手段は、前記情報切替手段にて前記切替要求を認識することにより、高速処理と、前記記録媒体から読み取られた前記記憶手段にそれぞれ順次記憶された情報を前記一対の処理手段でそれぞれ同期して出力可能に順次処理させる通常処理と、を切り替えて処理する
ことを特徴とした情報処理装置。
【請求項５】
請求項４に記載の情報処理装置において、
前記制御手段は、通常処理の際に前記一対の処理手段にて出力可能に処理された前記対をなす情報を同期して出力される状態に処理する同期処理の制御をし、高速処理の際には前記同期処理を停止して前記情報をそれぞれ出力可能に処理する
ことを特徴とした情報処理装置。
【請求項６】
請求項４または５に記載の情報処理装置において、
前記制御手段は、高速処理の際に、前記記録媒体に記録された情報のうちの対をなす情報を関係付ける時間情報に基づいて前記対をなす情報をそれぞれ同期するタイミングで出力可能に処理する
ことを特徴とした情報処理装置。
【請求項７】
請求項３ないし６のいずれかに記載の情報処理装置において、
前記対をなす情報は、複数の画像情報が連続する画像データおよびこの画像データに対応する音声データで、
前記制御手段は、前記一方の処理手段で前記画像データの一部の画像情報を間引いて新たな一連の画像データを生成して出力可能に処理させる制御をするとともに、前記他方の処理手段で前記記憶手段に記憶された音声データを順次出力可能に処理しつつ前記音声データを記憶する前記記憶手段に記憶された情報量が所定量以上となると記憶されている音声データのうちの少なくとも一部を削除する制御をして高速処理させる
ことを特徴とした情報処理装置。
【請求項８】
請求項１ないし７のいずれかに記載の情報処理装置において、
前記情報は、圧縮処理されたもので、
前記記憶手段は、前記記録媒体から読み取られた前記情報を前記処理手段により出力可能に復号化処理するために前記記録媒体から読み取られた前記情報を順次一時的に記憶する
ことを特徴とした情報処理装置。
【請求項９】
請求項３ないし６のいずれかに記載の情報処理装置において、
前記一方の情報はＭＰＥＧ（Ｍｏｔｉｏｎ　Ｐｉｃｔｕｒｅ　Ｅｘｐｅｒｔｓ　Ｇｒｏｕｐ）規格による画像圧縮方式の画像データで、前記他方の情報は音声データであり、
前記一方の処理手段は、前記画像データを映像として出力可能に復号化処理し、
前記他方の処理手段は、前記音声データを音声として出力可能に復号化処理する
ことを特徴とした情報処理装置。
【請求項１０】
記録媒体から読み取られた圧縮された画像データを一時的に記憶しつつこれら記憶する順番で前記画像データを順次出力する画像記憶手段と、
前記記録媒体から読み取られ前記画像データに関連付けられた圧縮された音声データを一時的に記憶しつつこれら記憶する順番で前記音声データを順次出力する音声記憶手段と、
前記画像記憶手段に記憶された前記画像データを順次復号化処理する画像復号化手段と、
前記音声記憶手段に記憶された前記音声データを順次復号化処理する音声復号化手段と、
前記画像復号手段による画像データの復号化処理および前記音声復号化手段による音声データの復号化処理を、前記処理された画像データおよび前記処理された音声データが同期して出力される状態に実施させる通常処理と、前記画像復号手段にて一部の画像データを間引いて復号化処理させるとともに、前記音声復号化手段にて前記音声データを順次処理しつつ前記音声記憶手段に記憶された音声データの量が所定量以上となると記憶されている前記音声データの少なくとも一部を削除して前記音声データを記憶可能な領域を増大させる高速処理とを適宜切り替えて制御する制御手段と、
を具備したことを特徴とした情報処理装置。
【請求項１１】
記録媒体に記録された情報を演算手段により出力可能に処理する情報処理方法であって、
前記演算手段により、
前記記録媒体から読み取られた情報を一時的に記憶し、
この記憶された前記情報を記憶された順番で読み取って出力可能に順次処理するとともに、前記記憶する情報の量が所定量以上となると前記記憶している情報のうちの少なくとも一部を削除して前記情報を記憶可能な領域を増大させる高速処理をする
ことを特徴とする情報処理方法。
【請求項１２】
記録媒体に記録され関連付けられた対をなす情報を演算手段によりそれぞれ出力可能に処理する情報処理方法であって、
前記演算手段により、
前記記録媒体から読み取られた対をなす情報をそれぞれ一時的に記憶し、
この記憶した前記情報を記憶する順番でそれぞれ読み取って、前記一方の情報を一部間引いて新たな情報として出力可能に順次処理するとともに、前記他方の情報を出力可能に順次処理しつつこの他方の情報を記憶する量が所定量以上となると前記記憶している他方の情報のうちの少なくとも一部を削除して前記他方の情報を記憶可能な領域を増大させる高速処理をする
ことを特徴とする情報処理方法。
【請求項１３】
記録媒体に記録された圧縮された画像データおよびこの画像データに関連付けられた音声データを演算手段によりそれぞれ出力可能に処理する情報処理方法であって、
前記画像データおよび前記音声データをそれぞれ一時的に記憶し、
前記記憶した画像データを順次読み取って復号化する処理および前記記憶した音声データを順次読み取って復号化する処理を、前記処理された画像データおよび前記処理された音声データが同期して出力される状態に実施させる通常処理と、前記記憶した画像データを順次読み取って一部を間引いて復号化する処理および前記記憶した音声データを順次読み取って復号化しつつ記憶する音声データの量が所定量以上となると前記記憶している音声データのうちの少なくとも一部を削除して前記音声データを記憶可能な領域を増大させる高速処理とを適宜切り替えて制御する
ことを特徴とする情報処理方法。
【請求項１４】
請求項１１ないし１３のいずれかに記載の情報処理方法を演算手段に実行させる
ことを特徴とした情報処理プログラム。
【請求項１５】
請求項１４に記載の情報処理プログラムが演算手段にて読み取り可能に記録された
ことを特徴とした情報処理プログラムを記録した記録媒体。
【請求項１６】
記録媒体に記録された情報を読み取る読取手段と、
この読取手段にて読み取った情報を再生手段から出力させて再生可能に処理する請求項１ないし１０のいずれかに記載の情報処理装置と、
を具備したことを特徴とした再生装置。
【発明の詳細な説明】
【０００１】
【発明の属する技術分野】
本発明は、情報を出力可能に処理する情報処理装置、その方法、そのプログラム、そのプログラムを記録した記録媒体、および、再生装置に関する。
【０００２】
【従来技術】
従来、情報を出力可能に処理する情報処理装置として、例えば音楽データを再生可能に処理する再生装置が知られている。そして、従来の再生装置では、例えばユーザによる再生状況を切り替える旨の設定入力により、ユーザが通常聴き取る調子で再生させる通常処理と、通常処理で再生される音楽データと同様の調子で音楽データを早送り再生させる高速処理とが切り替えられる。このような再生装置としては、例えば特開２００１−２０９３９５号公報、特開２０００−３３９８６４号公報、特開２００１−２９１３４２号公報、特開平１０−２５７４３３号公報、特開平８−９８１４６号公報などに記載の構成が知られている。
【０００３】
そして、特開２００１−２０９３９５号公報（特許文献１）に記載のものは、音声デジタルストリームのデジタル信号から指数部のみを抽出する。この抽出した指数部があらかじめ設定した閾値を超えるか否かを判断し、音声デジタルストリームの有音か無音かを判別する。そして、音声デジタルストリームを早送りで再生させる旨の設定を認識することにより、有音と判断したデジタル信号を復号処理して、ユーザが判別しやすい再生状態で早送り再生させる構成が採られている。
【０００４】
また、特開２０００−３３９８６４号公報（特許文献２）に記載のものは、ディスク媒体から読み出した音声データを一時的にメモリ手段に格納し、適宜メモリ手段から音声データを読み出して出力させる通常再生処理と、音声データを間欠的に読み出して出力させる早送り再生処理とが適宜切替可能である。そして、通常再生処理から早送り再生処理へ移行する際に、メモリ手段に格納された通常再生用の音声データを早送り方向で間引いて読み出し、第１の再生出力データとして出力するとともに、ディスク媒体から早送り再生用の音声データを間欠的に読み出して第２の再生出力データとしてメモリ手段に格納し、第１の再生出力データの出力の終了後に第２の再生出力データを出力させる構成が採られている。
【０００５】
さらに、特開２００１−２９１３４２号公報（特許文献３）に記載のものは、再生速度に対応して、通常の音声再生速度に対応する周波数のサンプリングクロックを中心として高周波側から低周波側までの所定の範囲内のサンプリングクロックを生成する。ユーザによるユーザインターフェース部からの早送り再生やスロー再生の要求を認識すると、要求された再生速度に対応し制御したクロック周波数のサンプリングクロックに基づいて、圧縮された映像音声情報を伸張復号化し、早送り再生やスロー再生時に、映像とともに音声を出力させる構成が採られている。
【０００６】
また、特開平１０−２５７４３３号公報（特許文献４）に記載のものは、記録媒体のトラックに、通常再生用の画像圧縮方式のＭＰＥＧ（Ｍｏｔｉｏｎ　Ｐｉｃｔｕｒｅ　Ｅｘｐｅｒｔｓ　Ｇｒｏｕｐ）データを記録する第１の領域と、早送り再生用のＭＰＥＧデータを記録する第２の領域を設け、早送り再生の際には、第２の領域に記録された早送り再生用のＭＰＥＧデータを読み出して映像とともに音声を早送り再生する構成が採られている。
【０００７】
さらに、特開平８−９８１４６号公報（特許文献５）に記載のものは、映像と音声とを含む連続画像のフレームｈ個からなるグループオブピクチャ（ＧＯＰ）を一定数ｍ個を連続して群とし、複数の群を映像・音声ファイルとしてフレーム単位に同期して格納する。倍速度に応じて群毎に映像用のＧＯＰを一定の位置にスキップし選択して読み出す。音声用のＧＯＰは意味が分かる再生が可能となるように映像用のＧＯＰの一部を無音声化またはノイズ化する。選択された映像用のＧＯＰの映像ブロックと音声ブロックが残されたＧＯＰの音声ブロックあるいは音声のみのブロックとを結合し再生することで、意味が分かる音声で映像を早送り再生する構成が採られている。
【０００８】
【特許文献１】
特開２００１−２０９３９５号公報（第２頁右欄）
【特許文献２】
特開２０００−３３９８６４号公報（第４頁右欄）
【特許文献３】
特開２００１−２９１３４２号公報（第４頁）
【特許文献４】
特開平１０−２５７４３３号公報（第４頁右欄〜第５頁左欄）
【特許文献５】
特開平８−９８１４６号公報（第４頁）
【０００９】
【発明が解決しようとする課題】
しかしながら、上記例えば特開２００１−２０９３９５号公報、特開２０００−３３９８６４号公報、特開２００１−２９１３４２号公報、特開平１０−２５７４３３号公報、特開平８−９８１４６号公報などに記載の従来の再生装置では、情報を早送り再生するための専用のハードウェアを設計・製造する必要があり、コストの低減が図れない問題が一例として挙げられる。
【００１０】
本発明は、そのような点を一つの課題として捉え、簡単な構成で情報を出力可能に処理する情報処理装置、その方法、そのプログラム、そのプログラムを記録した記録媒体、および、再生装置を提供することを目的とする。
【００１１】
【課題を解決するための手段】
請求項１に記載の発明は、記録媒体に記録された情報を出力可能に処理する情報処理装置であって、前記記録媒体から読み取られた前記情報を一時的に記憶するとともにこの記憶する順番で前記情報を順次出力する記憶手段と、この記憶手段に記憶された前記情報を出力可能に順次処理する処理手段と、この処理手段で前記記憶手段に記憶された情報を出力可能に順次処理させる制御をするとともに、前記記憶手段に記憶された情報量が所定量以上となると記憶されている前記情報のうちの少なくとも一部を出力させることなく削除して前記情報を記憶可能な領域を増大させる制御をして前記情報を高速処理させる制御手段と、を具備したことを特徴とした情報処理装置である。
【００１２】
請求項３に記載の発明は、記録媒体に記録され関連付けられた対をなす情報をそれぞれ出力可能に処理する情報処理装置であって、前記記録媒体から読み取られた前記情報をそれぞれ一次的に記憶しつつこれら記憶する順番で前記情報を順次出力する一対の記憶手段と、これら記憶手段に記憶された前記各情報をそれぞれ出力可能に順次処理する一対の処理手段と、前記一方の処理手段で前記情報を一部間引いて一連の新たな情報として出力可能に処理させる制御をするとともに、前記他方の処理手段で前記記憶手段に記憶された情報を出力可能に順次処理しつつ前記他方の処理手段にて処理される情報を記憶する前記記憶手段に記憶された情報量が所定量以上となると記憶されている情報のうちの少なくとも一部を出力させることなく削除して前記情報を記憶可能な領域を増大させる制御をして前記対をなす情報を高速処理させる制御手段と、を具備したことを特徴とした情報処理装置である。
【００１３】
請求項１０に記載の発明は、記録媒体から読み取られた圧縮された画像データを一時的に記憶しつつこれら記憶する順番で前記画像データを順次出力する画像記憶手段と、前記記録媒体から読み取られ前記画像データに関連付けられた圧縮された音声データを一時的に記憶しつつこれら記憶する順番で前記音声データを順次出力する音声記憶手段と、前記画像記憶手段に記憶された前記画像データを順次復号化処理する画像復号化手段と、前記音声記憶手段に記憶された前記音声データを順次復号化処理する音声復号化手段と、前記画像復号手段による画像データの復号化処理および前記音声復号化手段による音声データの復号化処理を、前記処理された画像データおよび前記処理された音声データが同期して出力される状態に実施させる通常処理と、前記画像復号手段にて一部の画像データを間引いて復号化処理させるとともに、前記音声復号化手段にて前記音声データを順次処理しつつ前記音声記憶手段に記憶された音声データの量が所定量以上となると記憶されている前記音声データの少なくとも一部を削除して前記音声データを記憶可能な領域を増大させる高速処理とを適宜切り替えて制御する制御手段と、を具備したことを特徴とした情報処理装置である。
【００１４】
請求項１１に記載の発明は、記録媒体に記録された情報を演算手段により出力可能に処理する情報処理方法であって、前記演算手段により、前記記録媒体から読み取られた情報を一時的に記憶し、この記憶された前記情報を記憶された順番で読み取って出力可能に順次処理するとともに、前記記憶する情報の量が所定量以上となると前記記憶している情報のうちの少なくとも一部を削除して前記情報を記憶可能な領域を増大させる高速処理をすることを特徴とする情報処理方法である。
【００１５】
請求項１２に記載の発明は、記録媒体に記録され関連付けられた対をなす情報を演算手段によりそれぞれ出力可能に処理する情報処理方法であって、前記演算手段により、前記記録媒体から読み取られた対をなす情報をそれぞれ一時的に記憶し、この記憶した前記情報を記憶する順番でそれぞれ読み取って、前記一方の情報を一部間引いて新たな情報として出力可能に順次処理するとともに、前記他方の情報を出力可能に順次処理しつつこの他方の情報を記憶する量が所定量以上となると前記記憶している他方の情報のうちの少なくとも一部を削除して前記他方の情報を記憶可能な領域を増大させる高速処理をすることを特徴とする情報処理方法である。
【００１６】
請求項１３に記載の発明は、記録媒体に記録された圧縮された画像データおよびこの画像データに関連付けられた音声データを演算手段によりそれぞれ出力可能に処理する情報処理方法であって、前記画像データおよび前記音声データをそれぞれ一時的に記憶し、前記記憶した画像データを順次読み取って復号化する処理および前記記憶した音声データを順次読み取って復号化する処理を、前記処理された画像データおよび前記処理された音声データが同期して出力される状態に実施させる通常処理と、前記記憶した画像データを順次読み取って一部を間引いて復号化する処理および前記記憶した音声データを順次読み取って復号化しつつ記憶する音声データの量が所定量以上となると前記記憶している音声データのうちの少なくとも一部を削除して前記音声データを記憶可能な領域を増大させる高速処理とを適宜切り替えて制御することを特徴とする情報処理方法である。
【００１７】
請求項１４に記載の発明は、請求項１１ないし１３のいずれかに記載の情報処理方法を演算手段に実行させることを特徴とした情報処理プログラムである。
【００１８】
請求項１５に記載の発明は、請求項１４に記載の情報処理プログラムが演算手段にて読み取り可能に記録されたことを特徴とした情報処理プログラムを記録した記録媒体である。
【００１９】
請求項１６に記載の発明は、記録媒体に記録された情報を読み取る読取手段と、この読取手段にて読み取った情報を再生手段から出力させて再生可能に処理する請求項１ないし１０のいずれかに記載の情報処理装置と、を具備したことを特徴とした再生装置である。
【００２０】
【発明の実施の形態】
以下に、本発明の一実施の形態を図面を参照して説明する。なお、この一実施の形態では、記録媒体としてＤＶＤ−ＲＯＭ（Ｄｉｇｉｔａｌ　Ｖｅｒｓａｔｉｌｅ　Ｄｉｓｃ　−　Ｒｅａｄ　Ｏｎｌｙ　Ｍｅｍｏｒｙ）であるＤＶＤ−Ｖｉｄｅｏに記録されたデータを再生処理する再生装置について説明する。また、対象となる記録媒体は、ＤＶＤ−Ｖｉｄｅｏに限ることなく、様々な記録メディアも適用可能である。
【００２１】
〔ＤＶＤ−Ｖｉｄｅｏの構造〕
まず、ＤＶＤ−Ｖｉｄｅｏの概略構造について図１を用いて説明する。図１は、本発明の実施の形態における一実施例の再生装置にて再生される記録媒体としてのＤＶＤ−Ｖｉｄｅｏの概略構造を簡略的に示した模式図である。
【００２２】
ＤＶＤ−Ｖｉｄｅｏ１は、略中央に図示しない略円形のセンタホールを有した円板状に形成されており、その片面が情報記録面とされている。この情報記録面には、その最内周側に始端であることを示すリードインコードが記録された図示しないリードインエリアが設けられ、その最外周側に終端であることを示すリードアウトコードが記録された図示しないリードアウトエリアが設けられている。これらリードインエリアおよびリードアウトエリア間に、図１に示すように、データの記録領域であるボリューム空間２が設けられている。
【００２３】
そして、ボリューム空間２には、ボリュームおよびファイル構造の情報のための空間（ボリューム／ファイル構造領域３：Ｖｏｌｕｍｅ　ａｎｄ　Ｆｉｌｅ　ｓｔｒｕｃｔｕｒｅ）と、ＤＶＤ規格のアプリケーションのための空間であるＤＶＤビデオゾーン（ＤＶＤ−Ｖｉｄｅｏ　ｚｏｎｅ）４と、この規格のアプリケーション以外のための空間である他記録ゾーン（ＤＶＤ　ｏｔｈｅｒｓ　ｚｏｎｅ）５と、が設けられている。
【００２４】
ボリューム／ファイル構造領域３は、例えばＩＳＯ９６６０およびユニバーサルディスクフォーマットブリッジに規定されている管理領域に相当する。このボリューム／ファイル構造領域３には、ＤＶＤビデオオゾーン４に記述されたデータの一部を後述する再生装置のシステムメモリに格納させる内容が記述されている。
【００２５】
他記録ゾーン５は、ＤＶＤビデオゾーン４に記述されたデータとは関係のない他の情報が記録可能となっている。なお、この他記録ゾーン５は、必須の空間ではなく、使用しない場合には設けられていなくてもよい。
【００２６】
ＤＶＤビデオゾーン４には、図１に示すように、ビデオマネージャ（以下、ＶＭＧと称する。）４１と、１つ以上のビデオタイトルセット（以下、ＶＴＳ＃ｉと称する（ｉは自然数で、最大値は９９）。）４２と、が設けられている。
【００２７】
ＶＭＧ４１は、制御データであるビデオマネージャ情報（以下、ＶＭＧＩと称する。）ファイル４５と、ビデオマネージャ・メニュー用ビデオオブジェクトセット（以下、ＶＭＧＭ＿ＶＯＢＳと称する。）ファイル４６と、バックアップ用ＶＭＧＩファイル４７と、にて構成されている。ＶＭＧＩ４５は、データを検索するためのサーチポインタテーブルが記述されている。バックアップ用ＶＭＧＩファイル４７は、ＶＭＧＩファイル４５と同じ内容のものである。
【００２８】
各ＶＴＳ＃ｉ４２には、制御データであるビデオタイトルセット情報（以下、ＶＴＳＩと称する。）ファイル５１と、ビデオタイトルセットタイルのビデオオブジェクトセット（以下、ＶＴＳＴＴ＿ＶＯＢＳと称する。）ファイル５２と、バックアップ用ＶＴＳＩファイル５３と、が設けられている。
【００２９】
ＶＴＳＩファイル５１は、ＶＴＳＴＴ＿ＶＯＢＳファイル５２に記述されたデータを再生するための内容などが記述されている。また、バックアップ用ＶＴＳＩファイル５３は、例えば情報記録面に傷などの損傷を受けた場合でもＶＴＳＩファイル５１の内容を再生装置が読み取れるようになっている。
【００３０】
ＶＴＳＴＴ＿ＶＯＢＳファイル５２は、１以上のビデオオブジェクト（以下、ＶＯＢ＃ｌと称する（ｌは自然数）。）ファイル５５にて構成されている。各ＶＯＢ＃ｌ５５は、１以上のビデオタイトルセット・セル＃ｍ（ｍは自然数）５６にて構成されている。さらに、各セル＃ｍ５６は、１以上のビデオオブジェクトユニット（以下、ＶＯＢＵ＃ｎと称する（ｎは自然数）。）ファイル５７にて構成されている。そして、これらＶＯＢＳＵ＃ｎ５７には、１以上の制御情報であるナビゲーション−パック（以下、ＮＶ＿ＰＣＫと称する。）ファイル６１と、１以上の画像データであるビデオ−パック（以下、Ｖ＿ＰＣＫと称する。）ファイル６２と、１以上の音楽データであるオーディオ−パック（以下、Ａ＿ＰＣＫと称する。）ファイル６３と、字幕データなどのサブピクチャデータであるサブピクチャ−パック（以下、ＳＰ＿ＰＣＫと称する。）ファイル６４と、が混在して構成されている。そして、複数のＶ＿ＰＣＫファイル６２により、画像圧縮方式の国際標準であるＭＰＥＧ（Ｍｏｔｉｏｎ　Ｐｉｃｔｕｒｅ　Ｅｘｐｅｒｔｓ　Ｇｒｏｕｐ）規格の画像データとしてのＩピクチャ、ＰピクチャおよびＢピクチャが構成される。
【００３１】
〔再生装置の構成〕
次に、上述した構造をもつＤＶＤ−Ｖｉｄｅｏ１を再生する再生装置の構成を図２および図３に示すブロック図を用いて説明する。図２は、再生装置の内部構成を示すブロック図である。図３は、ＡＶデコーダの内部構成を示すブロック図である。
【００３２】
図２において、１００は再生装置で、この再生装置１００は、ＤＶＤ−Ｖｉｄｅｏ１が装着可能で、装着されるＤＶＤ−Ｖｉｄｅｏ１に記録されているデータを読み取って再生させる処理をする。
【００３３】
そして、再生装置１００は、ＤＶＤ−Ｖｉｄｅｏ１に記録された情報を読み取る読取手段２００と、この読み取った情報を再生可能に処理する情報処理装置としての情報処理手段３００と、を備えている。
【００３４】
読取手段２００は、例えば光ピックアップ２１０と、回転駆動手段２２０と、図示しない送りモータと、読取制御手段２３０と、を備えている。光ピックアップ２１０は、光を用いてＤＶＤ−Ｖｉｄｅｏ１の情報記録面に記録されたデータを読み取る。なお、光に限らず、磁気を用いるなどしてもよい。
【００３５】
また、回転駆動手段２２０は、再生装置１００の所定位置に装着されたＤＶＤ−Ｖｉｄｅｏ１を線速度または角速度一定に回転駆動させる。そして、この回転駆動手段２２０は、ターンテーブル２２１と、図示しないクランパと、スピンドルモータ２２２とを備えている。ターンテーブル２２１は、ＤＶＤ−Ｖｉｄｅｏ１のセンターホールに係合し、ＤＶＤ−Ｖｉｄｅｏ１を再生装置１００の所定の位置に載置させて回転可能とする。クランパは、ターンテーブル２２１とにてＤＶＤ−Ｖｉｄｅｏ１を挟持する。スピンドルモータ２２２は、ＤＶＤ−Ｖｉｄｅｏ１を線速度または角速度一定に回転駆動させる。このスピンドルモータ２２２には、出力軸２２２Ａが設けられている。この出力軸２２２Ａの先端部はターンテーブル２２１に連結しており、スピンドルモータ２２２の駆動力が出力軸２２２Ａを介してターンテーブル２２１に伝達され、ＤＶＤ−Ｖｉｄｅｏ１を線速度または角速度一定に回転させる。
【００３６】
さらに、送りモータは、光ピックアップ２１０を情報記録面に平行で、かつその径方向に沿って移動させる。そしてさらに、再生装置１００は、ＤＶＤ−Ｖｉｄｅｏ１が所定位置に装着されたことを検出する図示しない検出手段が設けられている。
【００３７】
また、読取制御手段２３０は、第１のメモリ２３１と、第１のＣＰＵ（Ｃｅｎｔｒａｌ　Ｐｒｏｃｅｓｓｉｎｇ　Ｕｎｉｔ）２３２と、デコード＆サーボ制御部２３３と、これら第１のメモリ２３１、ＣＰＵ２３２およびデコード＆サーボ制御部２３３が接続される第１のデータバス２３４と、を備えている。
【００３８】
第１のメモリ２３１には、光ピックアップ２１０、回転駆動手段２２０、送りモータなどを適宜駆動させるための各種プログラムなどが記憶されている。第１のＣＰＵ２３２は、第１のメモリ２３１から各種プログラムを読み出して適宜処理したり、デコード＆サーボ制御部２３３を制御して、光ピックアップ２１０、回転駆動手段２２０、送りモータなどを適宜駆動させるなど、読取手段２００全体の制御をする。デコード＆サーボ制御部２３３は、光ピックアップ２１０、回転駆動手段２２０、送りモータなどから適宜信号を読み取るとともに、適宜光ピックアップ２１０、回転駆動手段２２０、送りモータなど適宜制御して動作させる。また、デコード＆サーボ制御部２３３は、光ピックアップ２１０で読み取ったＤＶＤ−Ｖｉｄｅｏ１に記録された情報をデジタルストリームデータに変換する。
【００３９】
また、再生装置１００の情報処理手段３００は、第２のメモリ３１０と、情報切替認識手段としても機能する第２のＣＰＵ３２０と、トラックバッファ３３０と、情報処理手段としてのＡＶ（Ａｕｄｉｏ−Ｖｉｓｕａｌ）デコーダ３４０と、デジタル−アナログ変換器（Ｄｉｇｉｔａｌ−ｔｏ−Ａｎａｌｏｇ　Ｃｏｎｖｅｒｔｅｒ：ＤＡＣ）３５０と、ＴＶエンコーダ３６０と、第２のデータバス３７０と、音声出力端子３８０と、画像出力端子３９０と、を備えている。
【００４０】
そして、第２のメモリ３１０には、情報を処理するための各種プログラムなどが記憶されている。第２のＣＰＵ３２０は、第２のメモリ３１０から各種プログラムを読み出して適宜処理し、情報処理手段３００全体を制御する。また、第２のＣＰＵ３２０は、再生装置１００に設けられた入力手段からユーザの設定入力に基づく信号を取得し、設定入力に対応して適宜再生装置１００全体の動作をも制御する。トラックバッファ３３０は、読取手段で読み取られデコード＆サーボ制御部２３３で変換されたデジタルストリームデータを一時的に記憶する。
【００４１】
ＡＶデコーダ３４０は、トラックバッファ３３０に記憶されたデジタルストリームデータを音声データと画像データとに分離してそれぞれ処理する。このＡＶデコーダ３４０は、図３に示すように、内蔵メモリ３４１と、制御手段としての内蔵ＣＰＵ３４２と、ストリームバッファ３４３と、記憶手段としての音声記憶手段である音声バッファ３４４Ａと、処理手段としての音声復号化手段である音声デコーダ３４５Ａと、記憶手段としての画像記憶手段である映像バッファ３４４Ｂと、処理手段としての画像復号化手段である映像デコーダ３４５Ｂと、サブピクチャバッファ３４４Ｃと、サブピクチャデコーダ３４５Ｃと、ディスプレイプロセッサ３４６と、これらが接続された第３のデータバス３４７とを備えている。
【００４２】
内蔵メモリ３４１は、デジタルストリームデータを再生可能に処理するための各種プログラムが記憶されている。内蔵ＣＰＵ３４２は、内蔵メモリ３４１に記憶された各種プログラムを読み出して適宜処理し、ＡＶデコーダ３４０全体の制御をする。ストリームバッファ３４３は、トラックバッファ３３０に一時的に記憶されたデジタルストリームデータを順次処理すべく一時的に記憶する。
【００４３】
音声バッファ３４４Ａは、デジタルストリームデータを構成する圧縮された音声データを一時的に記憶する。すなわち、内蔵ＣＰＵ３４２により、デジタルストリームデータを適宜分離、例えば画像データおよび音楽データが混在するＶＯＢ＃ｌ５５を構成するパックヘッドを解析し、Ａ＿ＰＣＫファイル６３、Ｖ＿ＰＣＫファイル６２、ＳＰ＿ＰＣＫファイル６４、および、ＮＶ＿ＰＣＫファイル６１を分離し、この分離された音声データを記憶する。映像バッファ３４４Ｂは、同様に、デジタルストリームデータを構成する圧縮された画像データ、例えばＶ＿ＰＣＫファイル６２を一時的に記憶する。サブピクチャバッファ３４４Ｃは、同様に、デジタルストリームデータを構成する字幕などのサブピクチャデータ、例えばＳＰ＿ＰＣＫファイル６４を一時的に記憶する。なお、ＮＶ＿ＰＣＫファイル６１は適宜内蔵メモリ３４１に記憶されて適宜内蔵ＣＰＵ３４２で処理される。
【００４４】
音声デコーダ３４５Ａは、音声バッファ３４４Ａに記憶された音声データを、記憶された順に順次伸張処理する。この伸張処理された音声データは、ＤＡＣ３５０に適宜出力される。映像デコーダ３４５Ｂは、映像バッファ３４４Ｂに記憶された画像データを、記憶された順に順次伸張処理し、例えばＭＰＥＧのＩピクチャ、ＰピクチャおよびＢピクチャを生成する。サブピクチャデコーダ３４５Ｃは、サブピクチャバッファ３４４Ｃに記憶されたサブピクチャデータを、指定された順に順次伸張処理する。ディスプレイプロセッサ３４６は、映像デコーダ３４５Ｂおよびサブピクチャデコーダ３４５Ｃで処理された画像データおよびサブピクチャデータを再生処理するためにオーバレイなどを実施する。ディスプレイプロセッサ３４６で処理された画像データおよびサブピクチャデータは、ＴＶエンコーダ３６０に適宜出力される。
【００４５】
ＤＡＣは、音声デコーダ３４５Ａで伸張処理された音声データをアナログ信号に変換し、音声出力端子に出力する。この音声出力端子には、アンプやスピーカなどの音声データを発音させて再生処理する図示しない発音手段が接続される。
【００４６】
ＴＶエンコーダ３６０は、ディスプレイプロセッサ３４６で処理された画像データおよびサブピクチャデータを適宜合成し、画像出力端子に出力する。この画像出力端子には、例えば液晶モニタやＣＲＴ（Ｃａｔｈｏｄｅ−Ｒａｙ　Ｔｕｂｅ）などの画像データを表示させる再生処理する図示しない表示装置が接続される。
【００４７】
そして、情報処理手段３００は、ユーザからの設定入力に基づいて、読取手段２００でＤＶＤ−Ｖｉｄｅｏ１から読み取って変換されたデジタルストリームデータを、ＡＶデコーダ３４０にて適宜分離して伸張処理した音声データと画像データおよびサブピクチャデータとを適宜内蔵ＣＰＵ３４２により同調させ、通常の再生速度で再生させる通常処理と、画像データが早送りで再生されるとともに音声が通常の再生速度で再生される周波数で再生させる高速処理とを切り替えて処理する。
【００４８】
〔再生装置の情報処理動作〕
次に、上記再生装置における情報処理の動作について図面を参照して説明する。ここで、情報処理としては、ＤＶＤ−Ｖｉｄｅｏ１の再生処理を例示して説明する。図４は、再生処理の動作を示すフローチャートである。図５は、通常再生処理の際の再生される映像と音声バッファにおけるバッファ量との関係を示す説明図である。図６は、早送り再生処理の際の映像デコーダでのデコード処理の動作を示すフローチャートである。図７は、早送り再生処理の際の画像データのデコード処理の状況を示す説明図である。図８は、早送り再生の際の音声デコーダでのデコード処理の動作を示すフローチャートである。図９は、早送り再生の際の音声バッファのバッファ量を示すグラフである。
【００４９】
（通常再生処理）
ＤＶＤ−Ｖｉｄｅｏ１が所定の再生位置に装着されると、読取手段２００の第１のＣＰＵ２３２によりデコード＆サーボ制御部２３３を制御し、送りモータを適宜駆動させ、光ピックアップ２１０の読取光をＤＶＤ−Ｖｉｄｅｏ１の最内周に位置付ける。さらに、ＤＶＤ−Ｖｉｄｅｏ１を線速度一定に回転駆動すべくスピンドルモータ２２２を立ち上げる。
【００５０】
そして、第１のＣＰＵ２３２は、例えばＤＶＤ−Ｖｉｄｅｏ１に記録された自動再生させる旨の情報の取得、あるいはユーザの入力操作にてＤＶＤ−Ｖｉｄｅｏ１に記録されている情報の通常再生要求の設定入力を入力手段から取得すると、図４のフローチャートに示すように、ＤＶＤ−Ｖｉｄｅｏ１に記録された情報を光ピックアップ２１０で読み取り、デコード＆サーボ制御部２３３でデジタルストリームデータに変換させるストリーム入力処理が実施される（ステップＳ１）。このステップＳ１における変換されたデジタルストリームデータは、情報処理手段３００のトラックバッファ３３０に一時的に記憶させる。
【００５１】
具体的には、図１で示すＶＭＧ４１のＶＭＧＩファイル４５に記録されたサーチポインタテーブルのＴＴ＿ＳＲＰＴを読み取る。この読み取ったＴＴ＿ＳＲＰＴに基づいて、順次データを読み取り連続したデジタルストリームデータとしてトラックバッファ３３０に順次記憶させる。
【００５２】
そして、トラックバッファ３３０に記憶されたデジタルストリームデータは、情報処理手段３００のＡＶデコーダ３４０のストリームバッファ３４３に順次取り込む。さらに、情報処理手段３００の内蔵ＣＰＵ３４２は、ストリームバッファ３４３に順次記憶するデジタルストリームデータを音声データ、画像データおよびサブピクチャデータに適宜分離する。そして、分離された音声データは音声バッファ３４４Ａに順次記憶され、画像データは映像バッファ３４４Ｂに順次記憶され、サブピクチャデータはサブピクチャバッファ３４４Ｃに順次記憶される。
【００５３】
この後、内蔵ＣＰＵ３４２は、デジタルストリームデータに含まれる音声データおよび画像データを関連付けるデコードを開始するタイミングとなる時計情報に基づいて、復号化処理であるデコード処理を行うように各デコーダ３４５Ａ，３４５Ｂ，３４５Ｃを制御する。具体的には、内蔵ＣＰＵ３４２で生成する所定のクロック周波数に基づいて、クロック数が所定のカウントとなった時点でデコード処理を開始させる。そして、映像デコーダ３４５Ｂにて画像データを伸張処理するデコード処理と、音声デコーダ３４５Ａにて音声データを伸張処理するデコード処理とが実施される。
【００５４】
映像デコーダ３４５Ｂによる伸張処理により、図５（ａ）に示すようなＩピクチャ、ＰピクチャおよびＢピクチャが一連に連続した新たな画像データが生成される。そして、伸張処理された画像データおよびサブピクチャデータはディスプレイプロセッサ３４６でオーバレイなどが実施され、ＴＶエンコーダ３６０で適宜合成され、画像出力端子３９０から出力される。また、伸張処理された音声データはＤＡＣ３５０にてアナログ信号に変換され、音声出力端子３８０から出力される。そして、音声データは発音手段にて音声として出力されて再生されるとともに、画像データおよびサブピクチャデータは表示装置にて映像として出力されて再生され、映像および音声が同期した状態で再生される。
【００５５】
なお、この通常再生処理の際、内蔵ＣＰＵ３４２は、自動ＡＶ同期処理を実施する。すなわち、音声データおよび画像データのデコードの際、例えばデータの取得エラーなどにより、再生される映像および音声にずれが生じてしまうような場合、映像をスキップあるいは同じ映像を表示させるなどして、映像および音声が同期した状態で再生されるように処理している。
【００５６】
そして、ＤＶＤ−Ｖｉｄｅｏ１から順次読み取った情報を順次処理して出力することから、映像に対応して音声が出力され、例えば図５に示すように、音声バッファ３４４Ａのバッファ量、すなわち記憶される音声データの記憶量はほぼ一定となる。
【００５７】
（高速再生処理）
一方、例えばユーザの入力操作にて入力手段から高速再生、例えば早送り再生を要求する旨の設定入力を第２のＣＰＵ３２０が取得すると、図４に示すように、第２のＣＰＵ３２０は自動ＡＶ同期処理を停止する（ステップＳ２）。すなわち、再生される映像および音声を同期させる処理を停止させる。さらに、第２のＣＰＵ３２０は、内蔵ＣＰＵ３４２を制御させ、サブピクチャデコーダ３４５Ｃにおけるサブピクチャデータのデコード処理を停止させる（ステップＳ３）。例えば、ストリームバッファ３４３からサブピクチャバッファ３４４Ｃに分離したサブピクチャデータを出力させない、あるいはサブピクチャバッファ３４４Ｃで記憶させない、または、サブピクチャデコーダでデコード処理させずに記憶したサブピクチャデータを削除するなどにより、サブピクチャデータのデコード処理を停止する。そして、この状態で、第２のＣＰＵ３２０は、画像データおよび音声データのデコード処理を行うように各デコーダ３４５Ａ，３４５Ｂ，３４５Ｃを制御する（ステップＳ４）。
【００５８】
このステップＳ４における画像データのデコード処理は、上述したように、内蔵ＣＰＵ３４２による制御にて、時間情報に基づいて画像データをデコード処理する。そして、デコード処理により、図６のフローチャートに示すように、生成された画像データがＢピクチャであると判断した場合（ステップＳ４１１）、そのＢピクチャは出力させることなくスキップさせ、順次画像データをデコード処理する（ステップＳ４１２）。この映像デコーダ３４５Ｂによるデコード処理により、図７に示すように、通常再生処理の場合にデコード処理にて新たに生成される画像データのＢピクチャが削除された新たな画像データが生成される。
【００５９】
また、ステップＳ４における音声データのデコード処理は、上述したように、内蔵ＣＰＵ３４２による制御にて、時間情報に基づいて音声データをデコード処理する。そして、内蔵ＣＰＵ３４２は、図８のフローチャートに示すように、音声バッファ３４４Ａのバッファ量が所定量、例えばほぼ一杯となるまでデコード処理を進める（ステップＳ４２１）。
【００６０】
このステップＳ４２１において、内蔵ＣＰＵ４３２はバッファ量がほぼ一杯と判断すると、音声バッファ３４４Ａのそれまで記憶した音声データを全て削除する処理をする（ステップＳ４２２）。
【００６１】
例えば、音声バッファ３４４Ａおよび映像バッファ３４４Ｂの少なくともいずれか一方のバッファ量が一杯となると、ストリームバッファ３４３は新たにデコード＆サーボ制御部２３３からデジタルストリームデータを取得しなくなってしまう。
【００６２】
ここで、画像データは図７に示すように順次デコード処理されて映像として出力されるが、音声データは図９に示すように順次通常再生処理と同様にデコード処理する。このため、画像データに次第に遅れる状態となって処理しきれずに次第にバッファ量が増大する。このことから、デコード処理を続けると、音声バッファ３４４Ａのバッファ量が一杯となって、新たなデジタルストリームデータを取得しなくなって、画像データも取得できず、早送り再生ができなくなってしまう。このことから、音声バッファ３４４Ａのバッファ量がほぼ一杯となった時点（図９中のＡの時点）で記憶した音声データを所定量、例えばほぼ削除する制御をする。なお、この削除後は、再びストリームバッファ３４３から音声データを順次記憶させる。
【００６３】
そして、内蔵ＣＰＵ３４２は、図９中のＢからＣに至る領域で示すように、音声データが音声の再生される最小の単位である１フレーム分まで記憶したことを認識すると（ステップＳ４２３）、図９中のＣからＡに至る領域で示すように、その音声データを順次デコード処理して出力する（ステップＳ４２４）。すなわち、図９に示すように、音声データを記憶する量となる音声バッファ量が折れ線グラフのようになる。
【００６４】
これらステップＳ４のデコード処理により、Ｂピクチャが間引きされて早送り再生される映像を追いかけるように、音声が通常再生と同様に再生され、次第に音声が早送りの映像に遅れる状態となる。そして、音声バッファ３４４Ａのバッファ量がほぼ一杯となって音声データが削除される。この削除後、順次記憶する音声データのデコード処理の継続にて再生される音声は早送りされている映像に追いつくように同期して再生される。その後、音声は映像に対して次第に遅れつつ再生される状況が繰り返される。なお、この音声が映像に対して次第に遅れるタイミングは、音声バッファ３４４Ａのバッファ量の大きさや削除するバッファ量の条件となる閾値の設定により適宜設定される。そして、映像に対して遅れる状況は、ユーザが違和感を覚えないように設定することが好ましい。
【００６５】
そして、例えばユーザの入力操作にて入力手段から高速再生としての早送り再生を停止して通常再生を要求する旨の設定入力を第２のＣＰＵ３２０が取得すると、図４に示すように、第２のＣＰＵ３２０は再び自動ＡＶ同期処理を開始する。（ステップＳ５）。さらに、第２のＣＰＵ３２０は、内蔵ＣＰＵ３４２を制御し、早送り再生のための処理を停止させる（ステップＳ６）。すなわち、内蔵ＣＰＵ３４２により、図６のフローチャートに示す映像デコード処理および図８のフローチャートに示す音声デコード処理を停止させ、音声バッファ３４４Ａ、映像バッファ３４４Ｂおよびサブピクチャバッファ３４４Ｃを全てクリアさせ、デジタルストリームデータの記憶を停止させる制御をする。
【００６６】
この後、ステップＳ１と同様に、映像データ、音声データおよびサブピクチャデータのデコード処理を開始し、第２のＣＰＵ３２０の制御により、ＤＶＤ−Ｖｉｄｅｏ１に記録された情報を光ピックアップ２１０で読み取り、デコード＆サーボ制御部２３３でデジタルストリームデータに変換させるストリーム入力処理を実施させ（ステップＳ７）、映像および音声が通常再生される（ステップＳ８）。
【００６７】
上述したように、上記実施の形態では、ＤＶＤ−Ｖｉｄｅｏ１に記録された情報を再生出力可能に処理する情報処理手段３００として、ＤＶＤ−Ｖｉｄｅｏ１から読み取られた音声データを一時的に記憶するとともにこの記憶する順番で音声データを順次出力する音声バッファ３４４Ａと、この音声バッファ３４４Ａに記憶された音声データを出力可能に順次処理する音声デコーダ３４５Ａと、音声デコーダ３４５Ａで音声バッファ３４４Ａに記憶された音声データを再生出力可能に順次処理させる制御をするとともに、音声バッファ３４４Ａに記憶された音声データの記憶された量であるバッファ量が所定量以上となると記憶されている音声データのうちの少なくとも一部を音声デコーダ３４５Ａに出力させることなく削除して音声データを記憶可能な領域を増大させる制御をして音声データを早送り再生である高速再生処理させる内蔵ＣＰＵ３４２と、を設けた構成とする。
【００６８】
このことにより、音声バッファ３４４Ａのバッファ量が音声デコーダ３４５Ａで処理仕切れずに所定量以上となると記憶している音声データを削除しつつ、記憶された音声データを通常再生処理するのと同様な調子でデコード処理して音声として再生させるので、通常再生処理のための構成をそのまま利用することにより再生される音声をユーザが良好に認識できる状態で早送り再生処理できる。
【００６９】
また、上記実施の形態では、ＤＶＤ−Ｖｉｄｅｏ１に記録され関連付けられた対をなす画像データおよび音声データをそれぞれ再生出力可能に処理する情報処理手段３００として、ＤＶＤ−Ｖｉｄｅｏ１から読み取られた画像データおよび音声データをそれぞれ一次的に記憶しつつこれら記憶する順番で画像データおよび音声データを順次出力する一対の映像バッファ３４４Ｂおよび音声バッファ３４４Ａと、これら映像バッファ３４４Ｂおよび音声バッファ３４４Ａに記憶された画像データおよび音声データをそれぞれ再生出力可能に順次処理する一対の映像デコーダ３４５Ｂおよび音声デコーダ３４５Ａと、映像デコーダ３４５Ｂで画像データを一部間引いて一連の新たな画像データとして再生出力可能に処理させる制御をするとともに、音声デコーダ３４５Ａで音声バッファ３４４Ａに記憶された画像データを再生出力可能に順次デコード処理しつつ処理される音声データを記憶するバッファ量が所定量以上となると記憶されている音声データのうちの少なくとも一部を音声デコーダ３４５Ａに出力させることなく削除して音声データを記憶可能な領域を増大させる制御をして対をなす画像データおよび音声データを早送り再生である高速再生処理させる内蔵ＣＰＵ３４２と、を設けた構成とする。
【００７０】
このことにより、画像データを一部間引いて再生出力可能にデコード処理して画像データを高速再生である早送り再生処理するとともに、バッファ量が所定量以上となって記憶している音声データをデコード処理することなく削除するまで音声データも通常再生処理と同様な調子で再生出力可能に順次デコード処理するので、通常再生処理のための構成をそのまま利用することにより、関係付けられた画像データおよび音声データをユーザが音声を良好に認識できる状態で早送り再生処理できる。
【００７１】
そして、入力手段からユーザによる情報処理の切替要求である通常再生処理と高速再生処理としての早送り再生処理とを切り替える旨の設定入力を第２のＣＰＵ３２０にて認識することにより適宜切り替える構成としている。このため、いわゆる一倍速である通常再生処理をするためのＡＶデコーダ３４０の構成を利用することにより早送り再生処理させることが容易にできる。
【００７２】
また、通常再生処理の際には、自動ＡＶ同期処理により例えば画像データをスキップさせて再生させるための処理や重複して画像データを再生させるための処理により同期して出力させ、高速再生処理の際には自動ＡＶ同期処理を停止して画像データおよび音声データをそれぞれデコード処理させている。このため、通常再生処理をするためのＡＶデコーダ３４０の構成を用いて、ユーザが容易に聞き取れる通常再生の音声で高速再生処理をさせる構成が容易に得られる。すなわち、高速再生処理の際に画像データの一部を間引きするデコード処理をしても自動ＡＶ同期処理による音声との同期処理を停止することで、音声の早送り再生とならなくなることを防止して、通常再生処理のＡＶデコーダ３４０を用いても早送り再生処理が容易にできる。
【００７３】
さらに、高速再生処理の際、ＤＶＤ−Ｖｉｄｅｏ１に記録された情報のうちの一定量の音声データが溜まったタイミングでデコード処理させる。一般に、映像と音声とは分散していわゆるマルチプレクスされているため、音声バッファ３４４Ａのバッファ量が所定量以上となって記憶されている音声データの少なくとも一部を削除して残っている音声データや新たに記憶された音声データをデコード処理して出力させた際に先行して再生された映像とほぼ同期が取れ、通常再生処理のＡＶデコーダ３４０を用いる構成でも、高速再生処理の際に映像と音声とが見掛け上でほぼ同期した状態の再生状態が容易に得られる。
【００７４】
また、ＭＰＥＧ（Ｍｏｔｉｏｎ　Ｐｉｃｔｕｒｅ　Ｅｘｐｅｒｔｓ　Ｇｒｏｕｐ）規格による画像圧縮方式の画像データと、圧縮された音声データとが記録されたＤＶＤ−Ｖｉｄｅｏ１を再生処理する再生装置１００としたため、これら圧縮された画像データおよび音声データを処理するために必要なＡＶデコーダ３４０の構成がそのまま利用でき、特に好適できる。
【００７５】
〔実施形態の変形〕
なお、本発明は、上述した一実施の形態に限定されるものではなく、本発明の目的を達成できる範囲で以下に示される変形をも含むものである。
【００７６】
上述した実施の形態では、上述したように、記録媒体としてはＤＶＤ−Ｖｉｄｅｏ１に限ることなく、様々な記録メディア、例えばＤＶＤ−ＲＯＭ、ＣＤ−ＤＡ（Ｃｏｍｐａｃｔ　Ｄｉｓｋ−Ｄｉｇｉｔａｌ　Ａｕｄｉｏ）、ＣＤ−ＲＯＭ（Ｃｏｍｐａｃｔ　Ｄｉｓｋ−Ｒｅａｄ　Ｏｎｌｙ　Ｍｅｍｏｒｙ）、ＤＶＤ−Ａｕｄｉｏ、ＤＶＤ−ＲＯＭ（Ｄｉｇｉｔａｌ　Ｖｅｒｓａｔｉｌｅ　Ｄｉｓｃ　−　Ｒｅａｄ　Ｏｎｌｙ　Ｍｅｍｏｒｙ）、ＤＶＤ−Ｒ（Ｄｉｇｉｔａｌ　Ｖｅｒｓａｔｉｌｅ　Ｄｉｓｃ−Ｒｅｃｏｒｄａｂｌｅ）、ＤＶＤ−ＲＷ（Ｄｉｇｉｔａｌ　Ｖｅｒｓａｔｉｌｅ　Ｄｉｓｃ　−　ＲｅＷｒｉｔａｂｌｅ）、などの光ディスク、光磁気（ＭＯ：ｍａｇｎｅｔｏ−ｏｐｔｉｃａｌ）ディスク、ハードディスクなどの磁気ディスク、あるいは磁気テープ、メモリカード、ＩＣ（Ｉｎｔｅｇｒａｔｅｄ　Ｃｉｒｃｕｉｔ）カードなども適用可能である。
【００７７】
そして、出力可能に処理する情報としては、画像データや音声データに限らず、文字データなど、いずれの情報を処理する構成でもできる。さらには、例えばＣＤ−ＤＡのように音声データのみを出力可能に処理する構成とし、音声データを所定のバッファ量で少なくとも一部をクリア（削除）しつつ再生出力可能に処理する構成とするなど、対をなす情報を処理する構成に限られない。
【００７８】
また、ＭＰＥＧ規格による画像圧縮方式の画像データに限らず、いずれの圧縮方式のもの、さらには、圧縮されていない情報を出力可能に処理する構成としてもよい。
【００７９】
対をなす情報として時間情報に基づいて関連付けられる画像データおよび音声データとして説明したが、その他関連付ける構成としてはいずれの方法でもできる。
【００８０】
また、早送り再生として、画像データのデコード処理で生成するＢピクチャをスキップする状態としたが、例えばＢピクチャのうちのいずれか一方のみをスキップしたり、複数コマに１コマのＢピクチャをスキップさせたり、Ｉピクチャのみ出力する状態とするなど、早送り再生する画像データの出力状況は適宜変更設定可能で、いずれの方法を用いることもでき、またユーザにて早送り再生の速度を設定入力可能として適宜画像データの出力状況を可変制御するようにしてもよい。
【００８１】
再生手段としては、発音手段および表示装置、さらにはＴＶなどの発音および表示の双方が可能な一体構造のものなどいずれのものでもできる。そして、再生装置として、再生手段を備えた構成としたものでも適用できる。
【００８２】
また、演算手段としてのコンピュータに読み取り可能なプログラムとし、コンピュータに装着された記録媒体に記録された情報を上述した出力可能に処理させるようにコンピュータを動作させるなど、いずれの装置形態でも適用できる。そして、本発明における演算手段としては、例えば１つのパーソナルコンピュータ、複数のコンピュータをネットワーク状に組み合わせた構成、マイクロコンピュータなどの素子、あるいは複数の電子部品が搭載された回路基板などをも含む。
【００８３】
本発明は、上述した一実施の形態および実施形態の変形のみに限ることなく、その他、本発明の目的を逸脱しない範囲で様々な応用が可能である。
【図面の簡単な説明】
【図１】本発明の一実施の形態に係るＤＶＤ−Ｖｉｄｅｏの概略構成を示す模式図である。
【図２】前記一実施の形態における再生装置の内部構成を示すブロック図である。
【図３】前記一実施の形態における再生装置のＡＶデコーダの内部構成を示すブロック図である。
【図４】前記一実施の形態における再生処理の動作を示すフローチャートである。
【図５】前記一実施の形態における通常再生処理の際の再生される映像と音声バッファにおけるバッファ量との関係を示す説明図である。
（ａ）再生される映像を示す概念図
（ｂ）音声バッファのバッファ量を示すグラフ
【図６】前記一実施の形態における早送り再生処理の際の映像デコーダでのデコード処理の動作を示すフローチャートである。
【図７】前記一実施の形態における早送り再生処理の際の画像データのデコード処理の状況を示す説明図である。
【図８】前記一実施の形態における早送り再生の際の音声デコーダでのデコード処理の動作を示すフローチャートである。
【図９】前記一実施の形態における早送り再生の際の音声バッファのバッファ量を示すグラフである。
【符号の説明】
１　　記憶媒体としてのＤＶＤ−Ｖｉｄｅｏ
１００　　再生装置
２００　　読取手段
３００　　情報処理装置としての情報処理手段
３２０　　情報切替認識手段としても機能する第２のＣＰＵ
３４０　　情報処理手段としてのＡＶデコーダ
３４２　　制御手段としての内蔵ＣＰＵ
３４４Ａ　記憶手段としての音声記憶手段である音声バッファ
３４４Ｂ　記憶手段としての画像記憶手段である映像バッファ
３４５Ａ　処理手段としての音声復号化手段である音声デコーダ
３４５Ｂ　処理手段としての画像復号化手段である映像デコーダ
【図１】
2004112176.tif 000003
【図２】
2004112176.tif 000004
【図３】
2004112176.tif 000005
【図４】
2004112176.tif 000006
【図５】
2004112176.tif 000007
【図６】
2004112176.tif 000008
【図７】
2004112176.tif 000009
【図８】
2004112176.tif 000010
【図９】
2004112176.tif 000011